(57)【要約】【課題】スペース占有を最小限に抑え、簡単な構造により低コスト化を達成しながら、空調作動時に送風抵抗を与えることなく、熱交換器へ熱交換媒体の供給が停止された後、潜熱を有効に利用して所定時間だけ車室内の暖房や冷房の補完を行うことができる車両用空気調和装置を提供すること。【解決手段】空調ケース２内の上流の送風機３側と下流の吹き出し口１４，１５，１６，１７側との間に、エバポレータ５、エアミックスドア６、ヒータコア７、を配置し、温風通路８と冷風バイパス通路９とエアミックスチャンバー１０が形成された空調ユニット１Ａにおいて、空調ケース２のフット吹き出し口１６と車室内に開口された車室内のフット吹き出し口１９を連通接続するフットダクト１８の内壁面に、風の流れに沿った配置により温熱用蓄熱シート２０を設定し、温熱用蓄熱シート２０は、固相・液相の相変化を伴って放出あるいは吸収される潜熱により蓄熱を行う潜熱蓄熱材を含有する構成とした。【選択図】図１
2008230456.tif 000002
【特許請求の範囲】
【請求項１】
空調ケース内の上流の送風機側と下流の吹き出し口側との間に、冷房用熱交換器、エアミックスドア、暖房用熱交換器、を配置し、前記冷房用熱交換器と前記暖房用熱交換器を通過する温風通路と、前記冷房用熱交換器を通過し前記暖房用熱交換器をバイパスする冷風バイパス通路と、温風と冷風とが合流するエアミックスチャンバーと、が形成された車両用空気調和装置において、
前記空調ケースのケース吹き出し口と車室内に開口された車室内吹き出し口を連通接続する吹き出し通路の壁面に、風の流れに沿った配置により蓄熱シートを設定し、
前記蓄熱シートは、固相・液相の相変化を伴って放出あるいは吸収される潜熱により蓄熱を行う潜熱蓄熱材を含有することを特徴とする車両用空気調和装置。
【請求項２】
請求項１に記載された車両用空気調和装置において、
前記蓄熱シートは、球状皮膜の内部にパラフィン系素材を封入してマイクロカプセル化したパラフィン封入カプセルを潜熱蓄熱材としたことを特徴とする車両用空気調和装置。
【請求項３】
請求項１または請求項２に記載された車両用空気調和装置において、
前記蓄熱シートは、シート基材として不織布を用い、該シート基材にパラフィン封入カプセルを捕捉して構成したことを特徴とする車両用空気調和装置。
【請求項４】
請求項１乃至請求項３の何れか１項に記載された車両用空気調和装置において、
前記蓄熱シートは、温熱の蓄熱を行う潜熱蓄熱材を含有させた温熱用蓄熱シートであり、前記潜熱蓄熱材の液相・固相の相変化温度を、５０℃〜７０℃に設定したことを特徴とする車両用空気調和装置。
【請求項５】
請求項４に記載された車両用空気調和装置において、
前記吹き出し通路は、ケース側フット吹き出し口と車室内側フット吹き出し口を連通接続するフットダクトであり、
前記温熱用蓄熱シートは、前記フットダクトのダクト内壁面に設定したことを特徴とする車両用空気調和装置。
【請求項６】
請求項１乃至請求項３の何れか１項に記載された車両用空気調和装置において、
前記蓄熱シートは、冷熱の蓄熱を行う潜熱蓄熱材を含有させた冷熱用蓄熱シートであり、前記潜熱蓄熱材の液相・固相の相変化温度を、２℃〜７℃に設定したことを特徴とする車両用空気調和装置。
【請求項７】
請求項６に記載された車両用空気調和装置において、
前記吹き出し通路は、ケース側ベント吹き出し口と車室内側ベント吹き出し口を連通接続するベントダクトであり、
前記冷熱用蓄熱シートは、前記ベントダクトのダクト内壁面に設定したことを特徴とする車両用空気調和装置。
【請求項８】
請求項６に記載された車両用空気調和装置において、
前記吹き出し通路は、ケース側ベント吹き出し口に接続されるベントダクトの車室内側ベント吹き出し口側に設けられたベントグリルであり、
前記冷熱用蓄熱シートは、前記ベントグリルのハウジングの内壁面と縦ルーバの全周に設定したことを特徴とする車両用空気調和装置。
【発明の詳細な説明】
【技術分野】
【０００１】
本発明は、空調ケース内の上流の送風機側と下流の吹き出し口側との間に、冷房用熱交換器、エアミックスドア、暖房用熱交換器、を配置した車両用空気調和装置に関する。
【背景技術】
【０００２】
従来、空調ケース内に上流の送風機側から下流の吹き出し口側に向かって順に、エバポレータ（冷房用熱交換器）、エアミックスドア、ヒータコア（暖房用熱交換器）、を配置し、前記エバポレータと前記ヒータコアを通過する温風通路と、前記エバポレータを通過し前記ヒータコアをバイパスする冷風バイパス通路と、温風と冷風とが合流するエアミックスチャンバーと、が形成された車両用空気調和装置が知られている（例えば、特許文献１，２参照）。
【０００３】
従来、エンジン冷却水が暖房及び蓄熱をするのに十分な熱量を持ってから蓄熱することを目的とし、空調ケースの内部に配置されるヒータコアと水冷エンジンの冷却水路を結ぶエンジン冷却水回路の途中位置に蓄熱材を設定した蓄熱装置を設け、かつ、蓄熱装置をバイパスするバイパス冷却水路を設けた車両用空気調和装置が知られている（例えば、特許文献３参照）。
【特許文献１】特開２００３−２３７３４４号公報
【特許文献２】特開２０００−１０８６３６号公報
【特許文献３】特開平１０−８６６４５号公報
【発明の開示】
【発明が解決しようとする課題】
【０００４】
しかしながら、上記特許文献１，２に記載されている従来の車両用空気調和装置にあっては、エバポレータを経過した冷風をヒータコアで暖めて温風とし、温風通路を経過して吹き出し口から吹き出す構成であるため、例えば、フルホット時、アイドルストップ等でエンジンが停止することによりヒータコアへのエンジン冷却水の供給が止まると、エバポレータを経過した冷風によりヒータコアが冷やされ、短時間にて吹き出し温度が低下してしまうという、という問題があった。
【０００５】
また、上記特許文献３に記載されている従来の車両用空気調和装置にあっては、エンジン冷却水回路（温水回路）とは別に、蓄熱回路と蓄熱装置を設け、エンジン停止時にポンプ及び電磁弁を使って蓄熱装置の温水をヒータコアに送り放熱させるものであるため、構造が複雑で、占有スペースも大きく必要であり、コスト高になると共に、配管経路により蓄えた潜熱の一部を損失してしまう、という問題があった。
【０００６】
本発明は、上記問題に着目してなされたもので、スペース占有を最小限に抑え、簡単な構造により低コスト化を達成しながら、空調作動時に送風抵抗を与えることなく、熱交換器へ熱交換媒体の供給が停止された後、潜熱を有効に利用して所定時間だけ車室内の暖房や冷房の補完を行うことができる車両用空気調和装置を提供することを目的とする。
【課題を解決するための手段】
【０００７】
上記目的を達成するため、本発明では、空調ケース内の上流の送風機側と下流の吹き出し口側との間に、冷房用熱交換器、エアミックスドア、暖房用熱交換器、を配置し、前記冷房用熱交換器と前記暖房用熱交換器を通過する温風通路と、前記冷房用熱交換器を通過し前記暖房用熱交換器をバイパスする冷風バイパス通路と、温風と冷風とが合流するエアミックスチャンバーと、が形成された車両用空気調和装置において、
前記空調ケースのケース吹き出し口と車室内に開口された車室内吹き出し口を連通接続する吹き出し通路の壁面に、風の流れに沿った配置により蓄熱シートを設定し、
前記蓄熱シートは、固相・液相の相変化を伴って放出あるいは吸収される潜熱により蓄熱を行う潜熱蓄熱材を含有することを特徴とする。
【発明の効果】
【０００８】
よって、本発明の車両用空気調和装置にあっては、空調ケースのケース吹き出し口と車室内に開口された車室内吹き出し口を連通接続する吹き出し通路の壁面に、風の流れに沿った配置により潜熱蓄熱材を含有する蓄熱シートが設定され、固相・液相の相変化を伴って放出あるいは吸収される潜熱により蓄熱（「温熱の蓄熱」と「冷熱の蓄熱」）を行う。
すなわち、蓄熱シートは、従来技術のように、蓄熱回路と蓄熱装置を設けるものではないため、例えば、既存の空調ケース内はそのままで、吹き出し通路が内部に形成されるダクト類に蓄熱シートを設定できるというように、スペース占有が最小限に抑えられるし、簡単な構造により低コスト化も達成される。
また、蓄熱シートは、ケース壁面に風の流れに沿った配置により設定されることで、ダクト等に蓄熱シートを追加設定しても、空調作動時における送風抵抗の増大が低く抑えられる。
そして、例えば、暖房用熱交換器へ熱交換媒体が供給されているとき、蓄熱シートに含有する潜熱蓄熱材が、固相から液相への相変化を伴って吸収した熱エネルギー（潜熱）を、暖房用熱交換器へ熱交換媒体の供給が停止された後、液相から固相への相変化を伴って放出することで蓄熱シートの表面を通過する風に熱を与え、熱交換媒体の供給停止後、所定時間だけ車室内の暖房を補完する。
また、例えば、冷房用熱交換器へ熱交換媒体が供給されているとき、蓄熱シートに含有する潜熱蓄熱材が、液相から固相への相変化を伴って放出した熱エネルギー（潜熱）を、冷房用熱交換器へ熱交換媒体の供給が停止された後、固相から液相への相変化を伴って吸収することで蓄熱シートの表面を通過する風から熱を奪い、熱交換媒体の供給停止後、所定時間だけ車室内の冷房を補完する。
この結果、スペース占有を最小限に抑え、簡単な構造により低コスト化を達成しながら、空調作動時に送風抵抗を与えることなく、熱交換器へ熱交換媒体の供給が停止された後、潜熱を有効に利用して所定時間だけ車室内の暖房や冷房の補完を行うことができる。
【発明を実施するための最良の形態】
【０００９】
以下、本発明の車両用空気調和装置を実現する最良の形態を、図面に示す実施例１〜実施例３に基づいて説明する。
【実施例１】
【００１０】
まず、構成を説明する。
図１は実施例１の前後席の温度調整を行う空調ユニット１Ａ（車両用空気調和装置の一例）を示す縦断面図である。図２は実施例１の空調ユニット１Ａに設定された温熱用蓄熱シート２０を示す断面図である。図３は実施例１の空調ユニット１Ａから左右両側に延ばして設定されたフットダクトを示す正面図である。
【００１１】
実施例１における空調ユニット１Ａは、図１に示すように、空調ケース２と、送風機３と、クリーンフィルター４と、エバポレータ５（冷却用熱交換器）と、エアミックスドア６と、ヒータコア７（暖房用熱交換器）と、温風通路８と、冷風バイパス通路９と、エアミックスチャンバー１０と、ベントドア１１と、デフドア１２と、フットドア１３と、ベント吹き出し口１４と、デフ吹き出し口１５と、フット吹き出し口１６と、リアフット吹き出し口１７と、を備えている。
【００１２】
実施例１における空調ユニット１Ａは、空調ケース２内に上流の送風機３側から下流の吹き出し口１４，１５，１６，１７側に向かって順に、エバポレータ５、エアミックスドア６、ヒータコア７を配置している。
【００１３】
前記エバポレータ５は、送風機３及びクリーンフィルター４を介して通過する内気または外気を冷却する熱交換器であり、冷媒入口と冷媒出口を有する。
【００１４】
前記エアミックスドア６は、前記エバポレータ５の後流位置に配置され、エバポレータ５を経過した冷風と、ヒータコア７を経過した温風と、の混合割合をドア開度により制御する。このエアミックスドア６としては、冷風バイパス通路９を閉止するフルホット位置（図１の実線に示す位置）からヒータコア７の上流側を閉止する位置（図１の仮想線に示すフルクール位置）までのストローク域でスライド移動可能なスライド式ドアを採用している。
【００１５】
前記ヒータコア７は、前記エバポレータ５及び前記エアミックスドア６の下流位置に配置され、通過する風を暖める熱交換器であり、エンジン冷却水入口７ａとエンジン冷却水出口７ｂを有する。
【００１６】
前記空調ケース２内には、図１に示すように、エバポレータ５とヒータコア７を通過する温風通路８と、エバポレータ５を通過しヒータコア７をバイパスする冷風バイパス通路９と、温風通路８からの温風と冷風バイパス通路９からの冷風が合流するエアミックスチャンバー１０と、が形成される。
【００１７】
前記エアミックスチャンバー１０の下流側には、ベント吹き出し口１４の位置に配置され、ベントモード等で開くベントドア１１と、デフ吹き出し口１５の位置に配置され、デフモード等で開くデフドア１２と、車幅方向に延びるフット吹き出し口１６，１６の上流位置に配置され、フットモード等で開くフットドア１３と、が配置される。
なお、フット吹き出し口１６，１６は、前席左右の運転者と助手席乗員の足元に向かって一対配置され、該フット吹き出し口１６，１６と並列中央位置には、後席への図外のリアフットダクトが連結されるリアフット吹き出し口１７が配置される。
【００１８】
前記フット吹き出し口１６，１６には、図３に示すように、左右にそれぞれ延びるフットダクト１８，１８が接続される。なお、図１ではフット吹き出し口１６にフットダクト１８が接続されていることを説明するため、空調ケース２の正面側に向かってフットダクト１８が延びているように記載した。
【００１９】
前記フットダクト１８，１８は、ケース側のフット吹き出し口１６，１６と車室内側のフット吹き出し口１９，１９（左右それぞれで３箇所）を連通接続するもので、ダクト内が温風の吹き出し通路となっている。
【００２０】
そして、前記フットダクト１８，１８のダクト内壁面に、図３に示すように、風の流れに沿った配置により温熱用蓄熱シート２０（蓄熱シート）を設定している。
【００２１】
前記温熱用蓄熱シート２０は、固相・液相の相変化を伴って放出あるいは吸収される潜熱により蓄熱を行う潜熱蓄熱材のうち、固相から液相への相変化を伴って吸収した熱エネルギー（潜熱）を、ヒータコア７へエンジン冷却水（熱交換媒体）の供給が停止された後、液相から固相への相変化を伴って放出する「温熱の蓄熱」を行う潜熱蓄熱材を含有させたものである。
【００２２】
前記温熱用蓄熱シート２０の構成を詳しく述べると、球状皮膜の内部にパラフィン系素材を封入してマイクロカプセル化したパラフィン封入カプセル２０ａを潜熱蓄熱材とし、図２に示すように、シート基材として不織布２０ｂを用い、該シート基材２０ｂにパラフィン封入カプセル２０ａを捕捉して構成している。
ここで、潜熱蓄熱材として、パラフィン系素材を用いた理由は、融解点（融解温度）や凝固点（凝固温度）による相変化温度を設定するに際し、炭素鎖数に対応し広範な温度域（−５０℃〜８０℃）をカバーすることができるし、蓄熱量（溶融潜熱）も１３０〜２５０kJ/kg程度であり、他の素材に比べて高いことによる。
【００２３】
また、前記パラフィン封入カプセル２０ａの液相・固相の相変化温度は、５０℃〜７０℃に設定している。
例えば、実施例１のように、エンジン冷却水をヒータコア７に循環させる空調ユニット１Ａの場合には、相変化温度は、５０℃〜６０℃程度、もしくは、これ以上が好ましい。その理由は、エンジン冷却水温は冬季等では８０℃に満たないケースもあり、かつ、暖かいと感じられる吹き出し温度は３０℃であるため、吹き出し温度３０℃以上を得るのに必要な相変化温度は、上記のように、５０℃〜６０℃程度、もしくは、これ以上（５０℃〜７０℃）の温度になることによる。
【００２４】
次に、作用を説明する。
実施例１の空調ユニット１Ａでは、図１に示すように、フットダクト１８，１８のダクト内壁位置に、風の流れに沿った配置により固相・液相の相変化を伴って放出あるいは吸収される潜熱により「温熱の蓄熱」を行う潜熱蓄熱材を含有する温熱用蓄熱シート２０が設定される。以下、［低コスト化作用］と［車室内暖房の補完作用］について説明する。
【００２５】
［低コスト化作用］
例えば、特開平１０−８６６４５号公報に記載されている従来の車両用空気調和装置は、ヒータコアに流通させる熱交換媒体を潜熱により加熱させるという点に着目し、エンジン冷却水回路（温水回路）とは別に、蓄熱回路と蓄熱装置を設け、寒冷地での発進時やエンジン停止時、ポンプ及び電磁弁を使って蓄熱装置の温水をヒータコアに送り放熱させるものである。このため、エンジン冷却水回路に蓄熱回路と蓄熱装置を追加設定する必要があり、構造が複雑になると共に、占有スペースも大きく必要であり、コストが高くなる。また、配管経路により蓄熱装置にて蓄えた潜熱の一部を損失してしまう。
【００２６】
これに対し、実施例１の空調ユニット１Ａでは、空調ケース２から温風を左右前席の足元に導くために設けられたフットダクト１８，１８内の風を潜熱により加熱させるという点に着目し、フットダクト１８，１８のダクト内壁位置に、潜熱蓄熱材を含有する温熱用蓄熱シート２０を設定する構成を採用した。このように、潜熱による加熱対象を、熱交換媒体ではなく、空調ケース２から車室内に至るダクト内送風そのものとしたため、従来技術のように、蓄熱回路と蓄熱装置を設ける必要がない。
【００２７】
したがって、図１に示すように、既存の空調ケース２内に既存のエバポレータ５やヒータコア７を用いた、空調ケース２内の構成はそのままで、空調ケース２に付設されるフットダクト１８，１８に温熱用蓄熱シート２０を設定できるというように、スペース占有が最小限に抑えられるし、簡単な構造により低コスト化も達成される。
【００２８】
加えて、温熱用蓄熱シート２０は、図１及び図３に示すように、フットダクト１８，１８の内壁面に風の流れに沿った配置により設定されることで、フットダクト１８，１８内に温熱用蓄熱シート２０を追加設定しても、空調作動時における送風抵抗の増大が低く抑えられる。
【００２９】
［車室内暖房の補完作用］
例えば、温熱用蓄熱シート２０が設定されていない空調ユニットを想定した場合、エンジンを一時的に停止させるアイドルストップ時、循環ポンプの停止により、エンジン冷却水のヒータコア内流通も停止する。したがって、ヒータコア内のエンジン冷却水に蓄えられているだけの熱エネルギー（顕熱）がエンジン停止時の残留熱エネルギーであるが、エバポレータを経過した冷風によりヒータコアの残留熱が奪われることで、エンジン停止時から短時間のうちに顕熱分の熱エネルギーは消費され、吹き出し温度がエンジン停止直後から急激に低下する。ちなみに、温熱用蓄熱シート無しの場合、図４の点線特性に示すように、エンジン停止直後から吹き出し温度が急激に低下し、約３０秒程度で７０℃あった吹き出し温度が３０℃まで低下してしまう。
【００３０】
これに対し、実施例１の空調ユニット１Ａの場合、温熱用蓄熱シート２０がフットダクト１８，１８のダクト内壁面の位置に設定されている。このため、エンジンを一時的に停止させるアイドルストップ時、循環ポンプの停止により、ヒータコア７内のエンジン冷却水に蓄えられているだけの熱エネルギー（顕熱）については、エンジン停止直後から短時間にて消費する。しかし、ヒータコア７へエンジン冷却水が供給されているとき、温熱用蓄熱シート２０に含有するパラフィン封入カプセル２０ａ内のパラフィンが固相から液相への相変化を伴って熱エネルギー（潜熱）を吸収する。そして、ヒータコア７へエンジン冷却水の供給が停止された後、パラフィン封入カプセル２０ａ内のパラフィンが液相から固相への相変化を伴って潜熱を放出することで、温熱用蓄熱シート２０の表面を通過する風に熱を与える。このため、エンジン冷却水の供給停止後、所定時間だけ車室内の暖房を補完することができる。例えば、図１に示すように、フットドア１３を開としている場合には、前席左右と後席の乗員の足元位置に温風を送り続けることができることになる。
【００３１】
ここで、「顕熱」とは、通常の固体や液体が相変化なしに蓄えた熱エネルギーのことであり、一方、「潜熱」とは、水が氷になるような液体・固体間の相変化に伴い放出あるいは吸収される熱エネルギーのことをいう。そして、一般に、潜熱を用いることで、顕熱の場合よりも桁違いに大きい熱量を蓄えることができる。例えば、水の場合、１℃の変化の顕熱は、４．１８J/gであるのに対し、０℃の水が凍って０℃の氷になるときの潜熱は、３３４J/gに達する。
【００３２】
したがって、温熱用蓄熱シート２０を設定した実施例１の場合、図４の実線特性に示すように、エンジン停止直後から相変化温度までは吹き出し温度が低下するが、相変化温度（凝固点）に達した後は、パラフィン封入カプセルに蓄えられた潜熱により吹き出し温度の低下が抑えられる。ちなみに、温熱用蓄熱シート２０を設定した場合、図４の実線特性と点線特性との間のハッチング領域が潜熱効果をあらわし、エンジン停止時に７０℃あった吹き出し温度が３０℃まで低下するのに２分程度要することになる。これを言い換えると、エンジン停止後、２分間だけは、車室内暖房の補完を行うことができる。
【００３３】
次に、効果を説明する。
実施例１の空調ユニット１Ａにあっては、下記に列挙する効果を得ることができる。
【００３４】
(1) 空調ケース２内の上流の送風機３側と下流の吹き出し口１４，１５，１６，１７側との間に、エバポレータ５、エアミックスドア６、ヒータコア７、を配置し、前記エバポレータ５と前記ヒータコア７を通過する温風通路８と、前記エバポレータ５を通過し前記ヒータコア７をバイパスする冷風バイパス通路９と、温風と冷風とが合流するエアミックスチャンバー１０と、が形成された空調ユニット１Ａにおいて、前記空調ケース２のケース吹き出し口１４，１５，１６，１７と車室内に開口された車室内吹き出し口を連通接続する吹き出し通路の壁面に、風の流れに沿った配置により蓄熱シートを設定し、前記蓄熱シートは、固相・液相の相変化を伴って放出あるいは吸収される潜熱により蓄熱を行う潜熱蓄熱材を含有するため、スペース占有を最小限に抑え、簡単な構造により低コスト化を達成しながら、空調作動時に送風抵抗を与えることなく、熱交換器へ熱交換媒体の供給が停止された後、潜熱を有効に利用して所定時間だけ車室内の暖房や冷房の補完を行うことができる。
【００３５】
(2) 前記蓄熱シートは、球状皮膜の内部にパラフィン系素材を封入してマイクロカプセル化したパラフィン封入カプセル２０ａを潜熱蓄熱材としたため、マイクロカプセル化によりパラフィンの持つ揮発性を抑えることができると共に、相変化温度を炭素数に対応する広範な温度域から高い自由度により設定することができる。
【００３６】
(3) 前記蓄熱シートは、シート基材として不織布２０ｂを用い、該シート基材にパラフィン封入カプセル２０ａを捕捉して構成したため、不織布２０ｂを採用したことにより、パラフィン封入カプセル２０ａの高い捕捉効果と、空調ケース２内から車室内に向かって伝達される騒音や振動を吸収する音振吸収効果を発揮することができる。
【００３７】
(4) 前記蓄熱シートは、温熱の蓄熱を行う潜熱蓄熱材を含有させた温熱用蓄熱シート２０であり、前記潜熱蓄熱材の液相・固相の相変化温度を、５０℃〜７０℃に設定したため、乗員が暖かいと感じられる吹き出し温度を確保しつつ、ヒータコア７へエンジン冷却水の供給が停止された後、潜熱を有効に利用して所定時間だけ車室内の暖房補完を行うことができる。
【００３８】
(5) 前記吹き出し通路は、ケース側のフット吹き出し口１６，１６と車室内側のフット吹き出し口１９，１９を連通接続するフットダクト１８，１８であり、前記温熱用蓄熱シート２０は、前記フットダクト１８，１８のダクト内壁面に設定したため、フットドア１３を開とするフットモード選択時、エンジンを一時的に停止したとしても前席左右と後席の乗員の足元位置に温風を送り続けることができる。
【実施例２】
【００３９】
実施例２は、ベントモード選択時に冷風が通過するベントダクトの内壁面に冷熱用蓄熱シートを設定した例である。
【００４０】
まず、構成を説明する。
図５は実施例２の前後席の温度調整を行う空調ユニット１Ｂ（車両用空気調和装置の一例）を示す縦断面図である。図６は実施例２の空調ユニット１Ｂから前席の左右位置と中央位置に延ばして設定されたベントダクトを示す正面図である。
【００４１】
実施例２の空調ユニット１Ｂは、図５に示すように、空調ケース２と、送風機３と、クリーンフィルター４と、エバポレータ５と、エアミックスドア６と、ヒータコア７と、温風通路８と、冷風バイパス通路９と、エアミックスチャンバー１０と、ベントドア１１と、デフドア１２と、フットドア１３と、ベント吹き出し口１４と、デフ吹き出し口１５と、フット吹き出し口１６と、リアフット吹き出し口１７と、を備えている。
【００４２】
これらの構成は、実施例１の空調ユニット１Ａと同様であり、ベントモード選択時、ベントドア１１は開位置とされ、エアミックスドア６は、図５に示すように、冷風バイパス通路９を開放するフルクール位置にある。
【００４３】
前記ベント吹き出し口１４には、図６に示すように、車幅方向に延びるベントダクト２１が接続される。なお、図１ではベント吹き出し口１４にベントダクト２１が接続されていることを説明するため、空調ケース２の正面側に向かってのみベントダクト２１が延びているように記載した。なお、図５において、２２はデフ吹き出し口１５に接続されたデフノズルである。
【００４４】
前記ベントダクト２１は、ケース側のベント吹き出し口１４と車室内側のベント吹き出し口２３（左右それぞれに１箇所と中央に２箇所）を連通接続するもので、ダクト内が冷風の吹き出し通路となっている。なお、ベント吹き出し口２３の４箇所の位置には、図５及び図６に示すように、ベント風の車室内への風向を調整するベントグリル２４が設定されている。
【００４５】
そして、前記ベントダクト２１のダクト内壁面に、図５及び図６に示すように、風の流れに沿った配置により冷熱用蓄熱シート２５（蓄熱シート）を設定している。
【００４６】
前記冷熱用蓄熱シート２５は、固相・液相の相変化を伴って放出あるいは吸収される潜熱により蓄熱を行う潜熱蓄熱材のうち、液相から固相への相変化を伴って放出した熱エネルギー（潜熱）を、エンジン停止によりエバポレータ５へ冷媒（熱交換媒体）の供給が停止された後、固相から液相への相変化を伴って吸収する「冷熱の蓄熱」を行う潜熱蓄熱材を含有させたものである。
【００４７】
実施例２での冷熱用蓄熱シート２５も実施例１と同様に、不織布にパラフィン封入カプセルを捕捉することで構成している。但し、パラフィン封入カプセルの液相・固相の相変化温度は、２℃〜７℃に設定している。
例えば、実施例２のように、冷媒をエバポレータ５に循環させる空調ユニット１Ｂの場合には、相変化温度は、４℃〜５℃程度が好ましい。その理由は、夏季等で涼しいと感じられる吹き出し温度は１０℃程度であるため、吹き出し温度１０℃程度を得るのに必要な相変化温度は、４℃〜５℃に前後温度を含めた２℃〜７℃の温度になることによる。
なお、他の構成は、実施例１と同様であるので、対応する構成に同一符号を付し、説明を省略する。
【００４８】
次に、車室内冷房の補完作用を説明する。
例えば、冷熱用蓄熱シート２５が設定されていない空調ユニットを想定した場合、エンジンを一時的に停止させるアイドルストップ時、コンプレッサの停止により、冷媒のエバポレータ内流通も停止する。したがって、エバポレータ内の冷媒に蓄えられているだけの熱エネルギー（顕熱）がエンジン停止時の残留熱エネルギーであるが、送風機からの風によりエバポレータの残留熱が短時間で奪われることにより、エンジン停止時から短時間のうちに顕熱分の熱エネルギーは消費され、吹き出し温度がエンジン停止直後から急激に上昇する。ちなみに、冷熱用蓄熱シート無しの場合、図７の点線特性に示すように、エンジン停止直後から吹き出し温度が急激に上昇し、約３０秒程度で暑いと感じられる吹き出し温度まで上昇してしまう。
【００４９】
これに対し、実施例２の空調ユニット１Ｂの場合、冷熱用蓄熱シート２５がベントダクト２１のダクト内壁面の位置に設定されている。このため、エンジンを一時的に停止させるアイドルストップ時、コンプレッサの停止により、エバポレータ５内の冷媒に蓄えられているだけの熱エネルギー（顕熱）については、エンジン停止直後から短時間にて消費する。しかし、エバポレータ５へ冷媒が供給されているエンジン作動時、冷熱用蓄熱シート２５に含有するパラフィン封入カプセル内のパラフィンが液相から固相への相変化を伴って熱エネルギー（潜熱）を放出する。そして、エバポレータ５へ冷媒の供給が停止された後、パラフィン封入カプセル内のパラフィンが固相から液相への相変化を伴って潜熱を吸収することで、冷熱用蓄熱シート２５の表面を通過する風から熱を奪う。このため、冷媒の供給停止後、所定時間だけ車室内の冷房を補完することができる。例えば、図５に示すように、ベントドア１１を開としている場合には、前席左右位置と前席中央位置から乗員の上半身位置に冷風を送り続けることができることになる。
【００５０】
したがって、冷熱用蓄熱シート２５を設定した実施例２の場合、図７の実線特性に示すように、エンジン停止直後から相変化温度までは吹き出し温度が僅かに上昇するが、相変化温度（溶解点）に達した後は、パラフィン封入カプセルに蓄えられた潜熱により吹き出し温度の上昇が抑えられる。ちなみに、冷熱用蓄熱シート２５を設定した場合、図７の実線特性と点線特性との間のハッチング領域が潜熱効果をあらわし、エンジン停止から吹き出し温度が暖かいと感じる温度まで上昇するのに１分３０秒程度要することになる。これを言い換えると、エンジン停止後、１分３０秒の間だけは、車室内冷房の補完を行うことができる。なお、他の作用は、実施例１と同様であるので説明を省略する。
【００５１】
次に、効果を説明する。
実施例２の空調ユニット１Ｂにあっては、実施例１の(1)〜(3)の効果に加え、下記に列挙する効果を得ることができる。
【００５２】
(6) 前記蓄熱シートは、冷熱の蓄熱を行う潜熱蓄熱材を含有させた冷熱用蓄熱シート２５であり、前記潜熱蓄熱材の液相・固相の相変化温度を、２℃〜７℃に設定したため、乗員が涼しいと感じられる吹き出し温度を確保しつつ、エバポレータ５へ冷媒の供給が停止された後、潜熱を有効に利用して所定時間だけ車室内の冷房補完を行うことができる。
【００５３】
(7) 前記吹き出し通路は、ケース側のベント吹き出し口１４と車室内側のベント吹き出し口２３を連通接続するベントダクト２１であり、前記冷熱用蓄熱シート２５は、前記ベントダクト２１のダクト内壁面に設定したため、ベントドア１１を開とするベントモード選択時、エンジンを一時的に停止したとしても前席の左右位置と中央位置から前席乗員の上半身位置に向かって冷風を送り続けることができる。
【実施例３】
【００５４】
実施例３は、ベントモード選択時に冷風を車室内に吹き出すベントグリルのハウジングの内壁面と縦ルーバの全周に冷熱用蓄熱シートを設定した例である。
【００５５】
まず、構成を説明する。
図８は実施例３の空調ユニットに設定されたベントダクトの車室内側の吹き出し口に設けられたベントグリルを示す図で、(a)はベントグリルの縦断側面図を示し、(b)はベントグリルの正面図を示し、(c)は(a)のＤ−Ｄ線による縦ルーバの断面図を示す。
【００５６】
実施例３の空調ユニットは、図８(a)に示すように、ベントダクト２１と、ベント吹き出し口２３と、ベントグリル２４と、冷熱用蓄熱シート２５と、グリルハウジング２６と、縦ルーバ２７と、横ルーバ２８と、を備えている。
【００５７】
この実施例３では、吹き出し通路を、ケース側のベント吹き出し口１４に接続されるベントダクト２１の車室内側のベント吹き出し口２３側に設けられたベントグリル２４としている。そして、冷熱用蓄熱シート２５を、図８に示すように、ベントグリル２４のグリルハウジング２６の内壁面（図８(a),(b)）と縦ルーバ２７の全周（図８(c)）に設定している。なお、空調ユニットの全体構成は、実施例２と同様であるので、図示並びに説明を省略する。
【００５８】
作用についても、実施例２とは、エンジンの一時的な停止時、ベントグリル２４を通過する風から熱を奪う点でのみ相違するので、説明を省略する。
【００５９】
次に、効果を説明する。
実施例３の空調ユニットにあっては、実施例１の(1)〜(3)の効果、および、実施例２の(6)の効果に加え、下記の効果を得ることができる。
【００６０】
(8) 前記吹き出し通路は、ケース側のベント吹き出し口１４に接続されるベントダクト２１の車室内側のベント吹き出し口２３側に設けられたベントグリル２４であり、前記冷熱用蓄熱シート２５は、前記ベントグリル２４のグリルハウジング２６の内壁面と縦ルーバ２７の全周に設定したため、ベントグリル２４に冷熱用蓄熱シート２５を設定するという簡単な構成により、ベントドア１１を開とするベントモード選択時、エンジンを一時的に停止したとしても前席の左右位置と中央位置から前席乗員の上半身位置に向かって冷風を送り続けることができる。
【００６１】
以上、本発明の車両用空気調和装置を実施例１〜実施例３に基づき説明してきたが、具体的な構成については、これらの実施例に限られるものではなく、特許請求の範囲の各請求項に係る発明の要旨を逸脱しない限り、設計の変更や追加等は許容される。
【００６２】
実施例１ではフットダクトの内壁面に温熱用蓄熱シートを設定する例を示したが、例えば、温熱用蓄熱シートをベントダクトやデフノズルの内壁面に設定しても良い。実施例２，３では、ベントダクトの内壁面とベントグリルの内壁面と縦ルーバの全周に冷熱用蓄熱シートを設定する例を示したが、例えば、ベントダクトとベントグリルの両方に冷熱用蓄熱シートを設定しても良い。さらに、温熱用蓄熱シートと冷熱用蓄熱シートに分けることなく、冷熱の蓄熱を行う潜熱蓄熱材と温熱の蓄熱を行う潜熱蓄熱材を共に含有させた蓄熱シートを車室内に風を送るダクトや吹き出しグリルに設定するようにしても良い。要するに、空調ケースのケース吹き出し口と車室内に開口された車室内吹き出し口を連通接続する吹き出し通路の壁面に、風の流れに沿った配置により蓄熱シートを設定するものであれば本発明に含まれる。
【００６３】
実施例１〜３では、固相・液相の相変化を伴って放出あるいは吸収される潜熱により蓄熱を行う潜熱蓄熱材として、球状皮膜の内部にパラフィン系素材を封入してマイクロカプセル化したパラフィン封入カプセルを用いる例を示したが、潜熱蓄熱材としては、パラフィン系素材に限られるものではなく、例えば、ポリエチレングリコール（温熱蓄熱向き）、無機塩・水和物／水溶液（温熱蓄熱、冷熱蓄熱）、水和物スラリー（冷熱蓄熱限定）等をカプセル化やパッケージ化したものであれば使用可能である。
【産業上の利用可能性】
【００６４】
実施例１〜３では、前後席の温度調整を行う空調ユニットへの適用例を示したが、前席のみに温度調整を行う空調ユニットや前席側と後席側を独立に温度調整を行う空調ユニットへも適用することができる。
【図面の簡単な説明】
【００６５】
【図１】実施例１の前後席の温度調整を行う空調ユニット１Ａ（車両用空気調和装置の一例）を示す縦断面図である。
【図２】実施例１の空調ユニット１Ａに設定された温熱用蓄熱シート２０を示す断面図である。
【図３】実施例１の空調ユニット１Ａから左右両側に延ばして設定されたフットダクトを示す正面図である。
【図４】実施例１の空調ユニット１Ａにおける温熱用蓄熱シート無しでのエンジン停止後の吹き出し温度特性と温熱用蓄熱シート付きでのエンジン停止後の吹き出し温度特性の比較を示す図である。
【図５】実施例２の前後席に温度調整を行う空調ユニット１Ｂ（車両用空気調和装置の一例）を示す縦断面図である。
【図６】実施例２の空調ユニット１Ｂから前席の左右位置と中央位置に延ばして設定されたベントダクトを示す正面図である。
【図７】実施例２の空調ユニット１Ｂにおける冷熱用蓄熱シート無しでのエンジン停止後の吹き出し温度特性と冷熱用蓄熱シート付きでのエンジン停止後の吹き出し温度特性の比較を示す図である。
【図８】実施例３の空調ユニットに設定されたベントダクトの車室内側の吹き出し口に設けられたベントグリルを示す図で、(a)はベントグリルの縦断側面図を示し、(b)はベントグリルの正面図を示し、(c)は(a)のＤ−Ｄ線による縦ルーバの断面図を示す。
【符号の説明】
【００６６】
１Ａ、１Ｂ  空調ユニット
２  空調ケース
３  送風機
４  クリーンフィルター
５  エバポレータ（冷却用熱交換器）
６  エアミックスドア
７  ヒータコア（暖房用熱交換器）
８  温風通路
９  冷風バイパス通路
１０  エアミックスチャンバー
１１  ベントドア
１２  デフドア
１３  フットドア
１４  ベント吹き出し口（ケース吹き出し口）
１５  デフ吹き出し口（ケース吹き出し口）
１６  フット吹き出し口（ケース吹き出し口）
１７  リアフット吹き出し口（ケース吹き出し口）
１８  フットダクト
１９  フット吹き出し口（車室内吹き出し口）
２０  温熱用蓄熱シート（蓄熱シート）
２１  ベントダクト
２２  デフノズル
２３  ベント吹き出し口
２４  ベントグリル
２５  冷熱用蓄熱シート（蓄熱シート）
２６  グリルハウジング
２７  縦ルーバ
２８  横ルーバ
【図１】
2008230456.tif 000003
【図２】
2008230456.tif 000004
【図３】
2008230456.tif 000005
【図４】
2008230456.tif 000006
【図５】
2008230456.tif 000007
【図６】
2008230456.tif 000008
【図７】
2008230456.tif 000009
【図８】
2008230456.tif 000010